【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
電気化学セルの熱管理及び保護のためのケーシングであって、前記ケーシングは、
電気化学セルの外側表面の少なくとも一部分と物理的接触するように構成され、室温で実質的に固体である内側表面と、
２種以上の温度管理材料を含むポリマーマトリックスとを含み、
前記２種以上の温度管理材料の少なくとも１種は、少なくとも５ジュール毎グラムの潜熱及び０℃と１００℃の間の転移温度とを有する、マイクロカプセル化された相変化材料を含み、
前記２種以上の温度管理材料の他の少なくとも１種は、エラストマー材料を含み、
前記ポリマーマトリックスは実質的に均質である、ケーシング。
【請求項２】
前記マイクロカプセル化された相変化材料はポリマー相変化材料である、請求項１に記載のケーシング。
【請求項３】
前記相変化材料が官能性ポリマー相変化材料である、請求項２に記載のケーシング。
【請求項４】
前記内側表面は標準寸法の商業的に入手可能な電気化学セルに係合するように構成され、かつ、前記エラストマー材料は、前記電気化学セルの複数回の充放電サイクル後に前記電気化学セルの内側表面と外側表面との間に前記係合が維持されるような、熱弾性及び回復の特性を有する、請求項１に記載のケーシング。
【請求項５】
１以上の温度管理材料を含む第２のポリマーマトリックスを更に含み、前記第２のポリマーマトリックスは前記２種以上の温度管理材料を含む前記ポリマーマトリックス上に層を形成している、請求項１に記載のケーシング。
【請求項６】
前記ケーシングが円筒状スリーブを含む、請求項１に記載のケーシング。
【請求項７】
前記ケーシングがフィルムを含む、請求項１に記載のケーシング。
【請求項８】
前記ケーシングが８５より大きいShoreＡ硬度と２５より大きいShoreＤ硬度を有する(ASTM D2240基準)、請求項１に記載のケーシング。
【請求項９】
前記ケーシングが１５ポンド毎平方インチより大きい弾性率（flex modulus）と２０％より大きい破断伸びを有する、請求項１に記載のケーシング。
【請求項１０】
前記ケーシングの前記内側表面と前記電気化学セルの前記外側表面の部分との間に配置されたゲルをさらに含む、請求項１に記載のケーシング。
【請求項１１】
前記ケーシングが第２のケーシングと物理的接触する外側表面を有する、請求項１に記載のケーシング。
【請求項１２】
前記ポリマーマトリックスはポリマー鎖当たり平均０．０５個から１．０個の間の架橋で架橋されている、請求項１に記載のケーシング。
【請求項１３】
前記相変化材料は１０ジュール毎グラムより大きく６０ジュール毎グラムより小さい潜熱含分を有する、請求項１に記載のケーシング。
【請求項１４】
前記ケーシングは難燃添加剤、エネルギー伝導添加剤、熱伝導添加剤、防水添加剤、核剤及び酸化防止剤から選ばれた１種以上の添加剤を更に含む、請求項１に記載のケーシング。
【請求項１５】
前記ケーシングは反射性絶縁層を含む、請求項１に記載のケーシング。
【請求項１６】
電気化学セルの熱管理及び保護のためのケーシングであって、前記ケーシングは、
電気化学セルの外側表面の少なくとも一部分と物理的接触するように構成され、室温で実質的に固体である内側表面と、
２種以上の温度管理材料を含むポリマーマトリックスとを含み、
前記２種以上の温度管理材料の少なくとも１種は、少なくとも５ジュール毎グラムの潜熱及び０℃と１００℃の間の転移温度とを有するポリマー相変化材料を有し、
前記２種以上の温度管理材料の他の少なくとも１種は、エラストマー材料を含み、
前記ポリマーマトリックスは実質的に均質である、ケーシング。
【請求項１７】
前記ポリマー相変化材料は官能性ポリマー相変化材料である、請求項１６に記載のケーシング。
【請求項１８】
前記内側表面は標準寸法の商業的に入手可能な電気化学セルに係合するように構成され、かつ、前記エラストマー材料は、前記電気化学セルの複数回の充放電サイクル後に前記電気化学セルの前記内側表面と前記外側表面との間に前記係合が維持されるような、熱弾性及び回復の特性を有する、請求項１６に記載のケーシング。
【請求項１９】
１以上の温度管理材料を含む第２のポリマーマトリックスを更に含み、前記第２のポリマーマトリックスは前記２種以上の温度管理材料を含む前記ポリマーマトリックス上に層を形成している、請求項１６に記載のケーシング。
【請求項２０】
前記ケーシングが円筒状スリーブを含む、請求項１６に記載のケーシング。
【請求項２１】
前記ケーシングがフィルムを含む、請求項１６に記載のケーシング。
【請求項２２】
前記ケーシングが８５より大きいShoreＡ硬度と２５より大きいShoreＤ硬度を有する(ASTM D2240基準)、請求項１６に記載のケーシング。
【請求項２３】
前記ケーシングが１５ポンド毎平方インチより大きい弾性率（flex modulus）と２０％より大きい破断伸びを有する、請求項１６に記載のケーシング。
【請求項２４】
前記ケーシングの前記内側表面と前記電気化学セルの前記外側表面の部分との間に配置されたゲルをさらに含む、請求項１６に記載のケーシング。
【請求項２５】
前記ケーシングが第２のケーシングと物理的接触する外側表面を有する、請求項１６に記載のケーシング。
【請求項２６】
前記ポリマーマトリックスはポリマー鎖当たり平均０．０５個から１．０個の間の架橋で架橋されている、請求項１６に記載のケーシング。
【請求項２７】
前記相変化材料は１０ジュール毎グラムより大きく６０ジュール毎グラムより小さい潜熱含分を有する、請求項１６に記載のケーシング。
【請求項２８】
前記ケーシングは難燃添加剤、エネルギー伝導添加剤、熱伝導添加剤、防水添加剤、核剤及び酸化防止剤から選ばれた１種以上の添加剤を更に含む、請求項１６に記載のケーシング。
【請求項２９】
前記ケーシングは反射性絶縁層を含む、請求項１６に記載のケーシング。
【請求項３０】
複数の電気化学セルと物理的接触するように構成された電気化学セルパックの熱管理及び保護のための容器であって、
前記容器は、室温で実質的に固体であり、かつ、
２種以上の温度管理材料を含むポリマーマトリックスを含み、
前記２種以上の温度管理材料の少なくとも１種は、少なくとも５ジュール毎グラムの潜熱及び０℃と１００℃の間の転移温度とを有する、マイクロカプセル化された相変化材料を含む、
前記２種以上の温度管理材料の他の少なくとも１種は、エラストマー材料を含み、
ポリマーマトリックスは実質的に均質である、容器。
【請求項３１】
前記容器は複数の相互接続されたスリーブを含む、請求項３０に記載の容器。
【請求項３２】
前記マイクロカプセル化された相変化材料はポリマー相変化材料である、請求項３０に記載の容器。
【請求項３３】
前記ポリマー相変化材料は官能性ポリマー相変化材料である、請求項３２に記載の容器。
【請求項３４】
前記ポリマーマトリックスは複数の電気化学セルの周りを収縮ラップされている、請求項３０に記載の容器。
【請求項３５】
前記容器の内側表面と１以上の電気化学セルの外側表面の一部の間に配置されたゲルをさらに含む、請求項３０に記載の容器。
【請求項３６】
容器がフィルムを含む、請求項３０に記載の容器。
【請求項３７】
難燃添加剤、エネルギー伝導添加剤、熱伝導添加剤、防水添加剤、核剤及び酸化防止剤から選ばれた１種以上の添加剤を更に含む、請求項３０に記載の容器。
【請求項３８】
携帯型の電気化学セルを電源とする装置であって、
前記装置は、
１以上の電気化学セルと
前記１以上の電気化学セルのためのケーシングとを含み、
前記ケーシングは、
電気化学セルの少なくとも一部分と物理的接触するように構成され、室温で実質的に固体である内側表面と、
２種以上の温度管理材料を含むポリマーマトリックスとを含み、
前記２種以上の温度管理材料の少なくとも１種は、少なくとも５ジュール毎グラムの潜熱及び０℃と１００℃の間の転移温度とを有する、マイクロカプセル化された相変化材料を含み、
前記２種以上の温度管理材料の他の少なくとも1種は、エラストマー材料を含み、
前記ポリマーマトリックスは実質的に均質である、携帯型の電気化学セルを電源とする装置。
【請求項３９】
前記装置が電力ツールである、請求項３８に記載の電気化学セルを電源とする装置。
【請求項４０】
電気化学セルパックを電源とする少なくとも１つの部品と、
複数の電気化学セルと物理的接触するように構成された容器とを含む自動車であって、
前記容器は、室温で実質的に固体であり、かつ２種以上の温度管理材料を含むポリマーマトリックスを含み、
前記２種以上の温度管理材料の少なくとも１種は、少なくとも５ジュール毎グラムの潜熱及び０℃と１００℃の間の転移温度とを有する、マイクロカプセル化された相変化材料を含み、
前記２種以上の温度管理材料の他の少なくとも１種は、エラストマー材料を含み、
ポリマーマトリックスは実質的に均質である、乗物。
【請求項４１】
電気化学セルの熱管理のためのケーシングであって、前記ケーシングは、
電気化学セルの外側表面の少なくとも一部分と物理的接触するように構成された内側表面、及び
ポリエーテルポリオールと１種以上の分岐剤又は架橋剤とを含む複合体ポリマーの相変化材料を含み、
前記分岐剤又は架橋剤は前記ポリエーテルポリオールと反応して前記ポリエーテルポリオールの鎖長を変化させる複合体ポリマー相変化材料である、ケーシング。
【請求項４２】
前記ポリエーテルポリオールはポリエチレングリコールを含む、請求項４１に記載のケーシング。
【請求項４３】
前記架橋剤又は鎖延長剤は分岐した架橋剤又は鎖延長剤を含む、請求項４１に記載のケーシング。
【請求項４４】
電気化学セルの少なくとも一部分と物理的接触をするように構成された架橋ポリエーテルポリオールの相変化材料を含む、電気化学セルの熱管理のための複合体ポリマー材料。
【請求項４５】
架橋剤又は鎖延長剤の１方とポリオールとを約０．５：１と１．５：１の間の比で含む、請求項４４に記載の複合体ポリマー材料。
【請求項４６】
前記ポリオールは分岐ポリオールである、請求項４５に記載の複合体ポリマー材料。
【請求項４７】
前記架橋剤または鎖延長剤が分岐した架橋剤又は鎖延長剤を含む、請求項４５に記載の複合体ポリマー材料。
【請求項４８】
前記材料が２５℃と１４０℃の間の転移温度と２ジュール毎グラムより大きい潜熱とを有する、請求項４４に記載の複合体ポリマー材料。
【請求項４９】
前記材料が機械加工可能である、請求項４４に記載の複合体ポリマー材料。
【請求項５０】
前記材料が成型可能である、請求項４４に記載の複合体ポリマー材料。
【請求項５１】
前記材料が固体-固体相変化材料である、請求項４４に記載の複合体ポリマー材料。
【請求項５２】
前記材料が難燃性である、請求項４４に記載の複合体 ポリマー材料。
【請求項５３】
さらに熱伝導添加剤を含む、請求項４４に記載の複合体 ポリマー材料。
【請求項５４】
前記材料が架橋ポリエーテルポリオール単独の熱伝導率の１．５倍より大きい熱伝導率をもつ、請求項５３に記載の複合体 ポリマー材料。
【請求項５５】
ポリオールと架橋剤又は分岐剤とが触媒を用いて反応する、請求項４５に記載の複合体 ポリマー材料。
【請求項５６】
下記の１種以上をさらに含む、請求項４４に記載の複合体ポリマー材料:
水捕捉剤、
酸化防止剤、または
難燃添加剤。
【請求項５７】
電気化学セルの熱管理のためのケーシングであって、
実質的に均質な架橋ポリエーテルポリオール相変化材料と、
１以上の電気化学セルを受領するように構成された１以上の受領部とを含む、ケーシング。
【請求項５８】
前記ケーシングが、１以上の電気化学セルと関連して前記１以上の電気化学セルの複数の充放電サイクルの際に用いられるとき、前記１以上の電気化学セルの元来の放電容量寿命と比べて放電容量寿命を延長する、請求項５７に記載のケーシング。
【請求項５９】
電気化学セルが、ケーシング内に保持されるとき、ケーシングに保持されていない類似の電気化学セルより高速で充電可能である、請求項５７に記載のケーシング。
【請求項６０】
１以上の電気化学セルのケーシングであって、
実質的に均質な架橋ポリエーテルポリオール相変化材料を含む一体構造を有し、前記一体構造は前記１以上の電気化学セルを前記架橋ポリエーテルポリオール相変化材料との熱的な接触を保持するように構成された１以上の開口部を有する、ケーシング。